(57)【特許請求の範囲】
【請求項１】
地下躯体の構築予定部分を囲繞して地下連続壁を構築し、この地下連続壁で囲まれる領域内に逆打支柱を打設した後、該地下連続壁内方の地面を掘削して、露出した該逆打支柱に地下床梁を順次支持しつつ上部から下部に向かって地下階を構築する逆打ち工法にあって、
上記地下連続壁には、鉄筋コンクリートの地下外周柱が平面Ｔ型を成して一体化されて構築され、該地下連続壁の上部、または、該地下外周柱の上部に、１階床梁外周支柱を根入れして支持し、この１階床梁外周支柱に１階床梁を支持させることを特徴とする地下掘削空間外周部における逆打支柱の施工方法。
【請求項２】
前記１階床梁外周支柱の近傍の地下連続壁内または地下外周柱内に縦方向のＰＣ鋼線を埋設し、コンクリート硬化後にプレストレスを導入したことを特徴とする請求項１に記載の地下掘削空間外周部における逆打支柱の施工方法。
【請求項３】
前記１階床梁外周支柱の根入れ部分にスタッドジベルを形成したことを特徴とする請求項１または２に記載の地下掘削空間外周部における逆打支柱の施工方法。
【請求項４】
地下躯体の構築予定部分を囲繞して地下連続壁を構築し、この地下連続壁で囲まれる領域内に逆打支柱を打設した後、該地下連続壁内方の地面を掘削して、露出した該逆打支柱に地下床梁を順次支持しつつ上部から下部に向かって地下階を構築する逆打ち工法にあって、
上記地下連続壁には、鉄筋コンクリートの地下外周柱が平面Ｔ型を成して一体化されて構築され、該地下連続壁の上部、または、該地下外周柱の上部に、１階床梁を支持させ、上記地下外周柱の下端部に拡底部を形成して上記地下連続壁の先端根入れ深さとは独立させて砂礫層を代表とする支持地盤に根入れし、該地下連続壁の下端は不透水層に根入れしたことを特徴とする地下掘削空間外周部における逆打支柱の施工方法。
【発明の詳細な説明】
【０００１】
【発明の属する技術分野】
本発明は、逆打工法を用いた地下躯体の構築方法にあって、地下掘削空間外周部に配置される逆打支柱を支持するための施工方法に関する。
【０００２】
【従来の技術】
近年では、地下階を構築するにあたって特に軟弱地盤では、これに適する逆打工法が一般に適用される。この逆打工法は図１０に示すように、まず、地下躯体の構築予定部分を囲繞して環状に地下連続壁１を構築し、この地下連続壁１で囲まれる内方領域Ｐに、適宜間隔をもって逆打支柱２を打設する。そして、逆打支柱２の頂部間に１階床梁３を架設した後、地下連続壁１の内方領域Ｐの地面を掘削して逆打支柱２を上部から露出させ、この露出した逆打支柱２に図外の地下床梁を上方階から下方階へと順次支持しつつ、上階から下階に向かって地下階を構築するようになっている。
【０００３】
上記逆打支柱２は、これの下端部が場所打ちコンクリート杭４内に埋設されて支持される。また、上記１階床梁３および上記地下床梁の端部は、一般には地下掘削空間外周部に配置される逆打支柱によって支持されるが、特公平７−３０５６４号公報（Int.Cl.E02D 27/10 ）に開示されるように上記地下連続壁１に支持することもできる。
【０００４】
【発明が解決しようとする課題】
しかしながら、かかる従来の逆打工法にあっては、地下連続壁１は地盤に一定幅となる環状の深溝を形成し、この深溝内に配筋した後に生コンクリートを打設して構築される。このため、地下連続壁１の上部のコンクリートには、ベントナイト泥水などのスライムが混入されて浮上されることになり、通常はこのスライム混入部分をコンクリートの半硬化時に除去することになる。従って、１階床梁３の端部を地下連続壁１に支持しようとした場合、この地下連続壁１の上部が除去されるため、該１階床梁３を該地下連続壁１に直接支持させることはできなくなる。このため、１階床梁３を地下連続壁１に支持するために、再度コンクリートを積み直すなどの補修が必要となり、作業が複雑になってしまう。
【０００５】
一方、上記１階床梁３を、図１０中二点鎖線で示すように地下掘削空間の外周部に配置される逆打支柱２ａによって支持しようとした場合、この逆打支柱２ａは上記地下連続壁１の近傍に打設されることになる。しかしこの場合、場所打ちコンクリート杭４ａを地下連続壁１の内側から所定距離Ｌ1 だけ離間して打設する必要があり、延いては、該場所打ちコンクリート杭４ａ内に包含される上記逆打支柱２ａは、該地下連続壁１から大きな距離Ｌ2 （Ｌ2 ＞Ｌ1 ）だけ離間されることになる。
【０００６】
従って、構築しようとする地下躯体は、外周部の逆打支柱２ａを地下連続壁１より大きく内方に入れて打設せざるを得ず、延いては、地下躯体およびこの地下躯体の上方に構築される地上架構にあっても、地下連続壁１で囲繞される面積より大幅に狭くなり、敷地空間の有効利用が阻害される。このため、少なくとも地上架構を地下連続壁１の領域まで広げて敷地を有効利用するためには、構造上の偏心処理が必要となり、必然的に建設費用が嵩み、かつ、工期も長期化されてしまうという課題があった。
【０００７】
そこで、本発明はかかる従来の課題に鑑みて成されたもので、１階床梁を簡単かつ確実に支持するとともに、この支持位置を地下連続壁に極力近づけて、敷地の利用率を拡大することができる、地下掘削空間外周部における逆打支柱の施工方法を提供することを目的とする。
【０００８】
【課題を解決するための手段】
かかる目的を達成するために、本発明の請求項１に示す地下掘削空間外周部における逆打支柱の施工方法は、地下躯体の構築予定部分を囲繞して地下連続壁を構築し、この地下連続壁で囲まれる領域内に逆打支柱を打設した後、該地下連続壁内方の地面を掘削して、露出した該逆打支柱に地下床梁を順次支持しつつ上部から下部に向かって地下階を構築する逆打ち工法にあって、上記地下連続壁には、鉄筋コンクリートの地下外周柱が平面Ｔ型を成して一体化されて構築され、該地下連続壁の上部、または、該地下外周柱の上部に、１階床梁外周支柱を根入れして支持し、この１階床梁外周支柱に１階床梁を支持させることを特徴とする。
【０００９】
また、本発明の請求項２に示す地下掘削空間外周部における逆打支柱の施工方法は、前記請求項１において、１階床梁外周支柱の近傍の地下連続壁内または地下外周柱内に縦方向のＰＣ鋼線を埋設し、コンクリート硬化後にプレストレスを導入したことを特徴とする。
【００１０】
更に、本発明の請求項３に示す地下掘削空間外周部における逆打支柱の施工方法は、前記請求項１または２において、１階床梁外周支柱の根入れ部分にスタッドジベルを形成したことを特徴とする。
【００１１】
更にまた、本発明の請求項４に示す 地下掘削空間外周部における逆打支柱の施工方法は、地下躯体の構築予定部分を囲繞して地下連続壁を構築し、この地下連続壁で囲まれる領域内に逆打支柱を打設した後、該地下連続壁内方の地面を掘削して、露出した該逆打支柱に地下床梁を順次支持しつつ上部から下部に向かって地下階を構築する逆打ち工法にあって、
上記地下連続壁には、鉄筋コンクリートの地下外周柱が平面Ｔ型を成して一体化されて構築され、該地下連続壁の上部、または、該地下外周柱の上部に、１階床梁を支持させ、上記地下外周柱の下端部に拡底部を形成して上記地下連続壁の先端根入れ深さとは独立させて砂礫層を代表とする支持地盤に根入れし、該地下連続壁の下端は不透水層に根入れしたことを特徴とする。
【００１２】
以上の構成により本発明の地下掘削空間外周部における逆打支柱の施工方法の作用を以下述べると、請求項１では地下掘削空間の外周部に配置される１階床梁外周支柱によって１階床梁の端部を支持する方法が採られ、鉄筋コンクリートの地下外周柱が平面Ｔ型を成して一体化されて構築されている地下連続壁の上部、または、該地下外周柱の上部に、上記１階床梁外周支柱を根入れして支持するようにしたので、該１階床梁外周支柱は地下連続壁に直接根入れした場合には、地下躯体を地下連続壁までの全領域に構築することができ、延いては、敷地を有効利用することができる。また、上記１階床梁外周支柱を地下外周柱に根入れする場合にも、該地下外周柱が地下連続壁に一体化されたものであるため、該地下連続壁に近づけて１階床梁外周支柱を根入れすることができ、この場合にあっても敷地の更なる有効利用を図ることができる。また、地震力を受けたときに発生する建物外周柱の大きな引き抜き力に耐える構造を維持しつつ、一般部の逆打支柱のように高価な鋼製の支柱を基礎から立設する場合に比べ、鋼材の使用を少なくすることができ、資材の節約となる。
【００１３】
また、請求項２では、１階床梁外周支柱の近傍の地下連続壁内または地下外周柱内に縦方向のＰＣ鋼線を埋設し、コンクリート硬化後にプレストレスを導入したので、地震力を受けたときに発生する建物外周柱の大きな引き抜き力に伴って生ずる引張力に起因した地下連続壁または地下外周柱のコンクリートの損傷を防ぐことができる。
【００１４】
更に、請求項３では、上記１階床梁外周支柱の根入れ部分にスタッドジベルを形成したので、該スタッドジベルがアンカーとしてコンクリート内に埋設されるため、１階床梁外周支柱の根入れ部分の結合強度を大幅に増大することができ、延いては、この根入れ部分を短くして１階床梁外周支柱自体の短縮化を図ることができる。
【００１５】
更にまた、請求項４では、鉄筋コンクリートの地下外周柱が平面Ｔ型を成して一体化されて構築されている地下連続壁の上部、または、該地下外周柱の上部に、１階床梁を支持する方法が採られ、地下外周柱の下端部に拡底部を形成して、この拡底部を、上記地下連続壁の先端根入れ深さとは独立させて、砂礫層を代表とする支持地盤に根入れし、該地下連続壁の下端は不透水層に根入れしたので、工事中および竣工後の支持力を合理的に確保することができる。また、地下外周柱の下端部に拡底部を形成したので、地下外周柱の支持力を地下連続壁に依存することなく確保でき、したがって地下連続壁の止水機能および支持機能を満たしつつ資材の節約を図ることができる。
【００１６】
【発明の実施の形態】
以下、本発明の実施形態を添付図面を参照して詳細に説明する。図１から図９は本発明の地下掘削空間外周部における逆打支柱の施工方法を示し、図１は地下掘削空間の外周部分を示す断面図、図２は地下連続壁を示す平面図、図３は図１中のＡ−Ａ線からの拡大断面図、図４は地下連続壁と地下外周柱との関係を（ａ），（ｂ）にそれぞれ示す斜視図、図５は地下外周柱と地盤との関係を（ａ），（ｂ）にそれぞれ示す断面図、図６は地下掘削空間外周部の逆打支柱の埋設時の支持状態を示す説明図、図７は１階床梁の取付け部分を（ａ）〜（ｃ）に順を追って示す断面図、図８は１階床梁および地下階の床梁の取付け部分を示す断面図、図９は図８中Ｂ部に対応する箇所の床梁の接続部分を示す断面図である。
【００１７】
本発明の地下掘削空間外周部における逆打支柱の施工方法の基本とするところは、図１に示すように地下躯体の構築予定部分を囲繞して地下連続壁１０を構築し、この地下連続壁１０で囲まれる領域Ｐ内に一般部の逆打支柱１２を打設した後、該地下連続壁１０内方の地面を掘削して、露出した該逆打支柱１２に地下床梁１４を順次支持しつつ上部から下部に向かって地下階を構築する。そして、該地下階が構築される地下掘削空間Ｓの外周部に配置される１階床梁外周支柱１２ａを、鉄筋コンクリートの地下外周柱が平面Ｔ型を成して一体化されて構築された上記地下連続壁１０の上部、または、該地下外周柱１６の上部に根入れして支持し、この１階床梁外周支柱１２ａに１階床梁１８を支持させる。
【００１８】
即ち、上記地下連続壁１０は、図２に示すように地下躯体を構築しようとする領域を囲繞して環状（本実施形態では矩形状）に配置される。この地下連続壁１０は、図１に示したように地面Ｇに所定幅を持った深溝２０を掘削し、この深溝２０内に配筋した後、生コンクリートを打設して構築される。
【００１９】
また、本実施形態では地下連続壁１０の構築時に同時に上記地下外周柱１６が構築される。この地下外周柱１６は、図３に示すように上記深溝２０の内側からＴ字状の空間断面を構成するように該深溝２０に連続して矩形穴２０ａを掘削してあり、この矩形穴２０ａと上記深溝２０に跨って鉄筋籠２２を挿入して、上記深溝２０に打設した生コンクリートが充填されることにより構築される。従って、上記地下外周柱１６は地下連続壁１０の内側に平面Ｔ型を成して一体に突設され、これら地下連続壁１０と地下外周柱１６とによってＴ型ＲＣ連壁２４が構成される。
【００２０】
上記地下外周柱１６は、図４（ａ）または（ｂ）に示すように下端部に拡底部１６ａが形成される。また、工事中および工事竣工後の地下外周柱１６の鉛直荷重は、外周土留め壁となる上記地下連続壁１０と同一レベルで砂礫質地盤に支持させる方法もあるが、Ｔ型ＲＣ連壁２４では図５（ａ），（ｂ）に示すように地下連続壁１０と地下外周柱１６の深さを異ならせて、地下外周柱１６のみを砂礫層等の支持地盤に支持させて、その他の部分は止水壁として必要とされる粘性土層に根入れする。同図（ａ）では地下外周柱１６を不透水層以浅に支持させた場合を示し、かつ、同図（ｂ）では地下外周柱１６を不透水層以深に支持させた場合を示す。一方、図１に示すように上記一般部の逆打支柱１２は、下端部が建物の基礎底以深にある場所打ちコンクリート杭２６に埋設して支持され、この埋設部分の逆打支柱１２外周にスタッドジベル２８が形成される。
【００２１】
ここで、上記外周部の１階床梁外周支柱１２ａは、これの下端部を上記地下外周柱１６の頂部に埋設して支持するようになっている。該１階床梁外周支柱１２ａの地下外周柱１６への埋設深さは、１階床梁１８からの応力を地下躯体に安全かつ確実に伝達される長さであれば良く、通常は地下１階分または地下２階分程度となる。また、上記１階床梁外周支柱１２ａの埋設部分にはスタッドジベル３０が形成され、１階床梁外周支柱１２ａの埋設強度を高めるようになっている。
【００２２】
更に、建物が地震力などの水平力を受けて地下外周柱１６に大きな引き抜き力が発生する場合は、上記１階床梁外周支柱１２ａの定着されている外周柱１６にもコンクリートの引張強度を超える応力が発生することがあり、Ｔ型ＲＣ連壁２４の施工時にＰＣ鋼線を配置しておき、コンクリート硬化後にこの引張力による損傷を防止するために地下外周柱にプレストレスを導入して構造安全性の確保を図ることが望ましい。
【００２３】
上記１階床梁外周支柱１２ａの埋設は、図３及び図６に示すように上記Ｔ型ＲＣ連壁２４を構築するために地面Ｇに深溝２０および矩形穴２０ａを掘削し、かつ、深溝２０に鉄筋および矩形穴２０ａに鉄筋籠２２を配筋した段階で、これら深溝２０および矩形穴２０ａの上方に位置して、レベル調整ジャッキ３２および固定治具３４を搭載した架台３６を地面Ｇ上に設置する。そして、この架台３６に上記１階床梁外周支柱１２ａを所定高さかつ鉛直に保持し、この状態で生コンクリートを深溝２０および矩形穴２０ａに打設するようになっている。また、長尺となる一般部の逆打支柱１２にあっても、同様に架台３６を用いて鉛直に保持した状態で、下端部に場所打ちコンクリート杭２６の生コンクリートが打設される。
【００２４】
また、上記１階床梁外周支柱１２ａには図７（ａ）〜（ｃ）に示すように１階床梁１８が結合される。まず、同図（ａ）に示すように上記Ｔ型ＲＣ連壁２４の上部のスライム混入部分のコンクリートを半硬化状態で除去し、そして、Ｔ型ＲＣ連壁２４のコンクリートが硬化した後に、同図（ｂ）に示すようにこのコンクリート除去部分に上記１階床梁１８の梁鉄筋１８ａを配置して、この梁鉄筋１８ａの端部を上記１階床梁外周支柱１２ａに溶接やボルト，ナットなどを介して結合する。そして、梁鉄筋１８ａの外側に梁主筋３８やフープ筋４０を配筋するとともに、図外の梁型枠や床下面を覆うデッキプレートおよび床鉄筋などを配置した後、生コンクリートを打設することにより、同図（ｃ）に示すように上記１階床梁１８が構築される。
【００２５】
更に、図８に示すように地下１階以下の地下階床梁１４の端部が上記Ｔ型ＲＣ連壁２４に結合されるが、この地下階床梁１４の接続部分は図９に示すようにＴ型ＲＣ連壁２４にカップラー付きの定着筋４２を埋設しておき、この定着筋４２に地下階床梁の主筋を接続するようになっている。また、エンクロ溶接ができるようにＴ型ＲＣ連壁２４をはつり出して，ＮＫＥ溶接法などで溶接することもできる。
【００２６】
従って、本実施形態の地下掘削空間外周部における逆打支柱の施工方法にあっては、１階床梁１８の端部を支持する１階床梁外周支柱１２ａを、Ｔ型ＲＣ連壁２４の地下外周柱１６の上部に根入れして支持するようにしたので、該地下外周柱１６が地下連続壁１０に一体化されたものであるため、これら地下外周柱１６と地下連続壁１０との間に隙間を設ける必要が無いことから、１階床梁外周支柱１２ａを該地下連続壁１０に限りなく近づけて根入れすることができる。
【００２７】
このため、上記１階床梁外周支柱１２ａを外周端として構築される地下躯体およびこの地下躯体の上方に構築される地上躯体を、地下連続壁１０で囲繞される領域の略全域に近づけて構築することができ、敷地の有効利用を極力図ることができる。また、地上外壁面の敷地境界に対する位置設定の自由度が増加するだけでなく、地下外周柱１６の土留め壁内面からの突き出し長さが小さくなり、地下有効空間の増大が可能となる。
【００２８】
ところで、上記Ｔ型ＲＣ連壁２４は、鉄筋コンクリート造の地下外周柱１６と一体化されており、この地下外周柱１６は下部に拡底部１６ａが形成されて、上記１階床梁外周支柱１２ａを支持する支持杭としての機能を併せ持っているので、該１階床梁外周支柱１２ａは通常部の逆打支柱１２のように基礎底以深の場所打ちコンクリート杭２６に根入れするような長尺とする必要が無くなる。即ち、１階床梁外周支柱１２ａは１階床梁１８を介して入力される地上躯体の荷重を、地下躯体コンクリートに適切に伝達できる長さがあれば良く、この長さは十分に小さくできるため、施工の簡略化や鉄骨工事費の低減が可能となる。
【００２９】
特に、本実施形態のように上記１階床梁外周支柱１２ａの根入れ部分にスタッドジベル３０を形成したことにより、鉄筋籠２２およびコンクリートによって１階床梁外周支柱１２ａを強固に拘束して、これの支持強度を著しく向上し、延いては、１階床梁１８の端部の支持を確実に行うことができるとともに、該１階床梁外周支柱１２ａを更に短縮化することができる。また、鉄筋籠２２およびコンクリートによって１階床梁外周支柱１２ａを強固に拘束して、これの支持強度を著しく向上し、延いては、１階床梁１８端部の支持を確実に行うことができる。
【００３０】
また、上記１階床梁外周支柱１２ａの根入れ位置は、地下外周柱１６と地下連続壁１０とに跨って配置される鉄筋籠２２の中で、地下連続壁１０に対して適宜位置に設定することができるので、建築計画や構造計画に無理を強いることなく、敷地空間の有効利用を図ることができる。
【００３１】
ところで、上記Ｔ型ＲＣ連壁２４に１階床梁外周支柱１２ａに作用する鉛直荷重に対する必要な支持力を確保させるためには、不透水層以深の砂礫層に代表されるような支持層に根入れすることも考えられるが、相当のコスト高を招いてしまう。これ故、地下外周柱１６の拡底部１６ａのみを不透水層または以深の支持層に根入れするようにすることで、地下外周柱１６の支持力を地下連続壁１０に依存することなく確保でき、コスト増を防ぐことができる。尚、上記拡底部１６ａは必要に応じて先端拡低掘削を行い、突出部の断面の縮小または支持耐力の増加を図ることができる。
【００３２】
また、上記Ｔ型ＲＣ連壁２４の地下外周柱１６の拡底部１６ａを、止水機能から設定される地下連続壁１０の先端根入れ深さとは独立させて、不透水層以深あるいは以浅の砂礫層を代表とする支持地盤に根入れさせ、地下連続壁１０の下端部は不透水層に根入れすることにより、地下連続壁１０の止水機能及び地下外周柱１６の支持機能を満たしつつ資材の節約が図れ、工事中および竣工後の支持力を合理的に確保することができる。更に、上記１階床梁外周支柱１２ａの根入れ部分にスタッドジベル３０を形成したので、該スタッドジベル３０がアンカーとしてコンクリート内に埋設されるため、１階床梁外周支柱１２ａの根入れ部分の結合強度を大幅に増大することができ、延いては、この根入れ部分を短くして１階床梁外周支柱１２ａ自体の短縮化を図ることができる。
【００３３】
ところで、上述した実施形態では１階床梁外周支柱１２ａをＴ型ＲＣ連壁２４の地下外周柱１６に支持させる場合を開示したが、これに限ることなく当該Ｔ型ＲＣ連壁２４の地下連続壁１０に下部を根入れして支持させた場合には、該１階床梁外周支柱１２ａを更に外周側に配置できるため、敷地の更なる有効利用を図ることができる。
【００３４】
【発明の効果】
以上説明したように本発明の請求項１に示す地下掘削空間外周部における逆打支柱の施工方法にあっては、１階床梁の端部を支持する１階床梁外周支柱を、鉄筋コンクリートの地下外周柱が平面Ｔ型を成して一体化されて構築されている地下連続壁の上部、または、該地下外周柱の上部に根入れして支持するようにしたので、該１階床梁外周支柱をより外周に配置できるため、地下躯体を構築する際の敷地の有効利用を図ることができる。即ち、１階床梁外周支柱を地下連続壁に直接根入れした場合には、地下躯体を地下連続壁までの全領域に構築できるとともに、１階床梁外周支柱を地下外周柱に根入れした場合には、該地下外周柱が地下連続壁に一体化されたものであるため、該地下連続壁に極力近づけて１階床梁外周支柱を根入れできるため、地下躯体の外周を地下連続壁の近傍まで広げることができる。
また、上記１階床梁外周支柱の根入れ位置は、地下外周柱と地下連続壁とに跨って配置される鉄筋籠の中で、地下連続壁に対して適宜位置に設定することができるので、建築計画や構造計画に無理を強いることなく、敷地空間の有効利用を図ることができる。
また、上記１階床梁外周支柱を外周端として構築される地下躯体およびこの地下躯体の上方に構築される地上躯体を、地下連続壁で囲繞される領域の略全域に近づけて構築することができ、敷地の有効利用を極力図ることができる。また、地上外壁面の敷地境界に対する位置設定の自由度が増加するだけでなく、地下外周柱の土留め壁内面からの突き出し長さが小さくなり、地下有効空間の増大が可能となる。
【００３５】
また、地震力を受けたときに発生する建物外周柱の大きな引き抜き力に耐える構造を維持しつつ、一般部の逆打支柱のように高価な鋼製の支柱を基礎から立設する場合に比べ、鋼材の使用を少なくすることができ、資材の節約となる。
【００３６】
また、請求項２では、１階床梁外周支柱の近傍の地下連続壁内または地下外周柱内に縦方向のＰＣ鋼線を埋設し、コンクリート硬化後にプレストレスを導入したので、地震力を受けたときに発生する建物外周柱の大きな引き抜き力に伴って生ずる引張力に起因した地下連続壁または地下外周柱のコンクリートの損傷を防ぐことができる。
【００３７】
更に、請求項３では、上記１階床梁外周支柱の根入れ部分にスタッドジベルを形成したので、該スタッドジベルがアンカーとしてコンクリート内に埋設されるため、１階床梁外周支柱の根入れ部分の結合強度を大幅に増大することができ、延いては、この根入れ部分を短くして１階床梁外周支柱自体の短縮化を図ることができる。
【００３８】
更にまた、請求項４では、鉄筋コンクリートの地下外周柱が平面Ｔ型を成して一体化されて構築されている地下連続壁の上部、または、該地下外周柱の上部に、１階床梁を支持し、地下外周柱の下端部には拡底部を形成してこの拡底部を上記地下連続壁の先端根入れ深さとは独立させて、砂礫層を代表とする支持地盤に根入れし、該地下連続壁の下端は不透水層に根入れしたので、工事中および竣工後の支持力を合理的に確保することができる。また、地下外周柱の下端部に拡底部を形成したので、地下外周柱の支持力を地下連続壁に依存することなく確保でき、したがって地下連続壁の止水機能および支持機能を満たしつつ資材の節約を図ることができる。
また、請求項１の場合と同様に、地下外周柱の土留め壁内面からの突き出し長さが小さくなり、地下有効空間の増大が可能となる。また、地震力を受けたときに発生する建物外周柱の大きな引き抜き力に耐える構造を維持しつつ、一般部の逆打支柱のように高価な鋼製の支柱を基礎から立設する場合に比べ、鋼材の使用を少なくすることができ、資材の節約となる。
【図面の簡単な説明】
【図１】本発明の一実施形態を示す地下掘削空間の外周部分の断面図である。
【図２】本発明の一実施形態を示す地下連続壁の平面図である。
【図３】本発明の一実施形態を示す図１中のＡ−Ａ線からの拡大断面図である。
【図４】本発明の一実施形態の地下連続壁と地下外周柱との関係を（ａ），（ｂ）にそれぞれ示す斜視図である。
【図５】本発明の一実施形態の地下外周柱と地盤との関係を（ａ），（ｂ）にそれぞれ示す断面図である。
【図６】本発明の一実施形態の地下掘削空間外周部の逆打支柱の埋設時の支持状態を示す説明図である。
【図７】本発明の一実施形態の１階床梁の取付け部分を（ａ）〜（ｃ）に順を追って示す断面図である。
【図８】本発明の一実施形態の１階床梁および地下階の床梁の取付け部分を示す断面図である。
【図９】本発明の一実施形態の図８中Ｂ部に対応する箇所の床梁の接続部分を示す断面図である。
【図１０】従来の逆打工法の一例を示す要部断面図である。
【符号の説明】
１０    地下連続壁１０
１２    一般部の逆打支柱
１２ａ  １階床梁外周支柱
１４    地下床梁
１６    地下外周柱
１６ａ  拡底部
１８    １階床梁
２２    鉄筋籠
２４    Ｔ型ＲＣ連壁
３０    スタッドジベル
４０    地下階床梁
Ｓ      地下掘削空間
Ｇ      地面
【図１】
0004069509.tif 000002
【図２】
0004069509.tif 000003
【図３】
0004069509.tif 000004
【図４】
0004069509.tif 000005
【図５】
0004069509.tif 000006
【図６】
0004069509.tif 000007
【図７】
0004069509.tif 000008
【図８】
0004069509.tif 000009
【図９】
0004069509.tif 000010
【図１０】
0004069509.tif 000011